(57)【要約】      （修正有）【課題】製作容易かつ低コストとなる構成により集光度の高い光が得られ、ヘルスケア機器等に使用される反射型フォトセンサの検出感度を向上できる発光装置を提供する。【解決手段】発光装置１０は、配線用の金属薄膜２を設けた絶縁体基板１に凹部３を形成し、この凹部にその中央部から内壁面に向かう程厚く形成されためっき層からなり、凹部の中央部から内壁面に向かって開口幅が広くなるように傾斜した反射面を持つ反射鏡４を形成し、この反射鏡の底面部に発光素子５をマウントして構成される。この反射鏡では、めっき処理により例えば４５度程度の傾斜を持つ曲面の反射面が得られ、これによって集光度の高い光が得られる。【選択図】図１
2019017734.tif 000002
【特許請求の範囲】
【請求項１】
凹部が形成された基板と、
この基板の凹部の中央部から内壁面に向かう程、該凹部の深さ方向の厚さが厚くなり、開口幅が広くなる傾斜した反射面を持つ反射鏡と、
この反射鏡の底面部にマウントされた発光素子と、を備えてなる発光装置。
【請求項２】
発光素子から対象物に投光し、その反射光を受光素子で受光する反射型フォトセンサに適用したことを特徴とする請求項１記載の発光装置。
【請求項３】
基板に配線用パターン及び凹部を形成する工程と、
めっきにより上記凹部の中央部から内壁面に向かう程、該凹部の深さ方向の厚さが厚くなるめっき層を形成し、上記凹部の中央部から内壁面に向かって開口幅が広くなる傾斜した反射面を持つ反射鏡を形成する工程と、
上記反射鏡の底面部に発光素子をマウントし、上記配線用パターンに対し上記発光素子を接続する工程と、を備えてなる発光装置の製造方法。
【請求項４】
上記反射鏡のめっき層は、無電解めっきによって形成しためっき層を含むことを特徴とする請求項３記載の発光装置の製造方法。
【発明の詳細な説明】
【技術分野】
【０００１】
本発明は発光装置及びその製造方法、特に点光源を必要とするウエアラブル機器に搭載する発光装置の構造及びその製造方法に関する。
【背景技術】
【０００２】
従来から、脈波や心拍数、溶存酸素量の測定を行うことのできるヘルスケア機器として、医療機関において使用するバイタルセンサや、日々の運動量や健康状態をチェックするためのスマートウォッチ（ウェアラブル機器）等、種々のものが提供されている。これらバイタルセンサのセンサヘッドやスマートウォッチの背面の肌に面する部分には、反射型フォトセンサが配置されており、光の投受光によって各種の測定が行われる。即ち、血管内を流れる血液に光が吸収される性質や血液の状態により吸収される光の波長が異なる性質を利用し、血液の脈動や溶存酸素量、血糖値等が測定可能となっている。このような反射型フォトセンサとしては、下記特許文献１に示すものがある。
【０００３】
しかし、上記反射型フォトセンサには、皮膚表面や骨からの光の反射によるノイズや外来光ノイズなど多くのノイズ（ＤＣノイズ）が影響し、センサ出力から得られる脈動によるＡＣ成分がこれらノイズに埋もれてしまい、環境によって正確な測定ができないという問題がある。
【０００４】
このような問題を解決するため、従来では、発光素子としてレーザダイオードを用いたり、下記特許文献２のように演算処理によるノイズ除去を行ったりしている。即ち、特許文献２では、発光量が大きな場合と小さい場合で得られたデータ同士の差分をとることで、外乱光成分を含むデータを求め、これを検出データから除去して脈拍成分を正確に取得することが行われる。
【先行技術文献】
【特許文献】
【０００５】
【特許文献１】実用新案登録第３０８８１４８号公報
【特許文献２】特開２００８−１３２０１２号公報
【特許文献３】特許第４７３５９４１号公報
【発明の概要】
【発明が解決しようとする課題】
【０００６】
しかしながら、腕に装着するスマートウォッチ機器等の発光素子として上記のようにレーザダイオードを用いると、その出力が強すぎて、長時間レーザー光を照射する場合には地肌への影響を考慮しなければならなかったり、発光素子としてＬＥＤを用いた場合に比べて高価であったりという別の問題が生じる。
このような問題は、高輝度ＬＥＤを用いることによりある程度解決できるが、上述のノイズについては完全には避けられるものではなく、特許文献２に示すような演算処理でノイズを除去する場合は、そのための演算回路が必要になるため回路規模が大きくなり、スマートウォッチのような小型モバイル機器に適さなくなる。
【０００７】
上記の問題の解決の１つとして、受光素子に入る光をより多くすることにより、Ｓ／Ｎ比を高くするよう、発光素子の光を集束させる反射鏡を設けることが考えられる。このような発光装置として、例えば特許文献３に示すものがある。
図３に、特許文献３の構成を用いた場合の発光装置の構成が示されており、符号の２０は発光装置、２１は絶縁体基板、２２は金属薄膜、２３はザグリ部、２４はめっき被膜、２５は発光素子（ＬＥＤ）、２６はダイボンド材、２７はワイヤである。即ち、絶縁体基板２１には、金属薄膜２２がパターニングされると共に、４５度程度の傾斜壁を持つザグリ部２３が形成され、このザグリ部２３にめっき被膜２４が形成される。
このような構成によれば、めっき被膜２４が反射鏡の役割をし、このめっき被膜２４によって発光素子２５からの光が集光され、発光装置からの放射強度を高めることができる。
【０００８】
しかしながら、図３の構成のように、傾斜壁を持つザグリ部２３を製作するためには、ＮＣ工作機械等による精密加工が必要なため、ザグリ部形成工程によるコストアップが問題となる。
【０００９】
本発明は上記問題点に鑑みてなされたものであり、その目的は、製作容易かつ低コストとなる構成により集光度の高い光が得られ、ヘルスケア機器等に使用される反射型フォトセンサの検出感度を向上させることができる発光装置及びその製造方法を提供することにある。
【課題を解決するための手段】
【００１０】
上記目的を達成するために、請求項１の発明に係る発光装置は、凹部が形成された基板と、この基板の凹部の中央部から内壁面に向かう程、該凹部の深さ方向の厚さが厚くなり、開口幅が広くなる傾斜した反射面を持つ反射鏡と、この反射鏡の底面部にマウントされた発光素子と、を備えてなることを特徴とする。
請求項２の発明は、発光素子から対象物に投光し、その反射光を受光素子で受光する反射型フォトセンサに適用したことを特徴とする。
【００１１】
請求項３の発明に係る発光装置の製造方法は、基板に配線用パターン及び凹部を形成する工程と、めっきにより上記凹部の中央部から内壁面に向かう程、該凹部の深さ方向の厚さが厚くなるめっき層を形成し、上記凹部の中央部から内壁面に向かって開口幅が広くなる傾斜した反射面を持つ反射鏡を形成する工程と、上記反射鏡の底面部に発光素子をマウントし、上記配線用パターンに対し上記発光素子を接続する工程と、を備えてなることを特徴とする。
請求項４の発明は、上記反射鏡のめっき層は、無電解めっきによって形成しためっき層を含むことを特徴とする。
【００１２】
以上の構成によれば、基板に形成された凹部に対し、例えば無電解めっき法で、いわゆるビアフィルめっきと同様のめっき法を施すことにより、凹部の中央部から内壁面に向かう程厚くなるめっき層で、凹部の中央部から内壁面に向かって開口幅が広くなるように傾斜した反射面（底面部中央から内壁面側へ向けて緩やかに曲線状に上がる曲面の反射面）を持つ反射鏡が形成される。そして、この反射面の底面部に発光素子が搭載され、この発光素子から反射面へ向かう光は反射面で反射されることで、所定方向に集束させた出力光が得られる。
【発明の効果】
【００１３】
本発明によれば、発光素子の周囲に反射鏡を簡単に設けることができ、製作容易かつ低コストとなる構成により集光度の高い光が得られ、ヘルスケア機器等に使用される反射型フォトセンサの検出感度を向上させることができる。即ち、発光素子からの光を集束させることにより、発光素子からの不要な拡散光を低減し、反射型フォトセンサの出力信号において検出対象のＡＣ成分をＤＣノイズ成分から際立たせることによって、感度の向上が図られる。
また、基板凹部に形成された反射鏡に発光素子を埋没させる形となるので、発光装置や反射型フォトセンサの低背化を図ることができ、スマートウォッチ機器等への搭載スペースの削減も可能となる。
【図面の簡単な説明】
【００１４】
【図１】本発明に係る実施例の発光装置の構成を示す断面図である。
【図２】実施例の発光装置を適用した反射型フォトセンサの構成を示し、図（ａ）は上面図、図（ｂ）は図（ａ）のｂ−ｂ線断面図である。
【図３】従来の発光装置の構成を示す断面図である。
【発明を実施するための形態】
【００１５】
図１に、実施例の発光装置の構成が示されており、図１の符号１０は発光装置、１は絶縁体基板、２は配線用の金属薄膜、３は凹部、４はめっき層からなる反射鏡、５は発光素子（ＬＥＤ）、６はダイボンド材、７はワイヤである。
上記反射鏡４は、凹部３の底部中央から内壁面側に向かう程厚いめっき層で４で形成され、表面がその底面部中央から凹部３の内壁面に向かって高くなる傾斜の反射面となり、例えば表面からＡｕ，Ｎｉ，Ｃｕの順に形成された３層のめっきとされる。この反射鏡４は、凹部３に作製されためっき層からなるので、周囲が曲面を持つ反射面となり、反射面の平滑性、光沢も確保され、発光素子５の光を集束し、集光度を高めることができる。
【００１６】
次に、発光装置の製造方法について説明する。
まず、絶縁体基板１に対し配線用パターン（配線と配線用パッド等）の形成（パターニング）が行われ、裏面には配線用の金属薄膜２が設けられる。その後、絶縁体基板１の所定の場所にレーザードリル等によって穴を開けることにより凹部３が作製され、この凹部３の作製では、レーザードリルの出力を調整することによって、金属薄膜２を残して絶縁体基板１の所定部分のみが除去される。
【００１７】
次に、絶縁体基板１にレジストパターンを形成した後、露出させた凹部３に対してめっき処理（いわゆるビアフィルめっき）を施すことにより反射鏡４が形成される。即ち、レジストパターンが形成された基板１を無電解めっき液に浸漬し、最初にＣｕめっき、続いてＮｉ、Ａｕの順でめっきを実行する。このめっき工程では、無電解めっき液の添加剤（促進剤、抑制剤等）の組成や量、温度、浸漬時間等を調整することで、凹部の各場所での成長（厚さ）を制御し、凹部３の中央部は薄く、内壁面（内側面）に向かう程、厚くなるようにする。その結果、図１に示されるように、中心の底面部から外周へ向かって４５度程度の角度で高くなるように傾斜する曲面状（断面で見ると、底面部の直線→下に凸の曲線→変曲点を介して上に凸の曲線を順に結合した曲線状となる）の反射面（表面）を持つ反射鏡４が設けられる。
【００１８】
なお、一般的にビアフィルめっきは、凹部をめっき層によって充填する方法であるが、本発明では凹部に完全にめっき層で充填する前にめっき工程を終了することで、図１に示す断面形状のめっき層を実現している。
【００１９】
次いで、上記反射鏡４の底面部に発光素子５の裏面（電極）がダイボンド材６により接続されると共に、発光素子５の表面電極がワイヤ７によって配線用パターンの所定の部位に接続される。実施例では、この発光素子５の裏面電極は、めっき層である反射鏡４を介して配線用の金属薄膜２に接続される。
【００２０】
図２には、実施例の発光装置を利用した反射型フォトセンサの構成が示されており、図２において、符号１１は反射型フォトセンサ、１２は受光素子（フォトダイオード）、１３ａは外周壁（遮光壁）、１３ｂは仕切り壁（遮光壁）であり、この仕切り壁１３ｂによって発光部と受光部が仕切られており、例えば発光部には２つの発光装置１０、受光部には１つの受光素子１２が搭載される。これら発光部と受光部は、透明樹脂１４によって覆われている。なお、１５は上記反射鏡４のめっき工程で同時に形成されたビアホールである。
【００２１】
このような反射型フォトセンサは、スマートウォッチ等に搭載され、例えば発光装置１０から集束させた光を手首の所定位置に投光し、血管内からの反射光を受光素子１２で受光することにより、脈動や酸素飽和度等の測定が可能となる。このときの発光装置１０からの出力光は集光度の高い光となり、集光されない場合と比較すると、拡散光が少なくなるため、検出対象のＡＣ成分をＤＣノイズ成分から際立たせることができ、検出感度が向上するという利点がある。
また、本発明の発光装置を液晶表示装置、照明装置等の発光装置として用いる場合でも、集光度の高い光を用いることができるという利点がある。
【００２２】
実施例では、めっき層からなる反射鏡４の反射面（曲面）を図１に示されるような４５度程度の傾斜を持つようにしたが、この反射面の傾斜及び曲面は、そのめっき処理の条件を選択することにより適宜変えることができ、所望の集光度の反射鏡４とすることが可能である。
また、実施例では、無電解めっきにて反射鏡４を形成したが、電気めっき等のその他のめっきを採用してもよく、更に例えば３層めっき中の１層又は２層（特に凹部内壁側の厚みを厚くする層）を無電解めっき、その他の層を無電解めっき以外のめっきで形成することも可能である。
【００２３】
上記実施例の発光装置１０では、配線用の金属薄膜２を設けた絶縁体基板１に貫通孔を開けることで、凹部３を形成したが、金属薄膜２を設けない絶縁体基板１自体に凹部を形成し、この凹部に形成した反射鏡４を基板１の表面側の配線用パターンの所定部位に接続することにより、発光素子５の裏面電極を結線するようにしてもよい。
【符号の説明】
【００２４】
１０，２０…発光装置、      １，２１…絶縁体基板、
２，２２…金属薄膜、      ３…凹部、
４…反射鏡（めっき層）、  ５，２５…発光素子、
６，２６…ダイボンド材、  ７，２７…ワイヤ、
１１…反射型フォトセンサ、１２…受光素子、
２３…ザグリ部、          ２４…めっき被膜。
【図１】
2019017734.tif 000003
【図２】
2019017734.tif 000004
【図３】
2019017734.tif 000005